(57)【特許請求の範囲】
【請求項１】
所望の曲の選曲情報を入力するための選曲情報入力手段と、その入力された選曲情報を記憶する選曲情報記憶手段と、その記憶された選曲情報をカラオケ装置側に一括送信する選曲情報送信手段と、前記カラオケ装置の利用可能時間を設定する利用可能時間設定手段と、前記選曲情報記憶手段に記憶された、あるいは記憶が予定される選曲情報により特定される演奏曲の、合計演奏時間を算出する合計演奏時間算出手段と、前記選曲情報記憶手段に新たな選曲情報の記憶を行おうとした際に、その選曲情報が特定する演奏曲を含めた合計演奏時間が、前記設定された利用可能時間を超過している場合には、該選曲情報の記憶を禁止する記憶制御手段と、を備えたことを特徴とするカラオケ用選曲装置。
【請求項２】
所望の曲の選曲情報を入力するための選曲情報入力手段と、その入力された選曲情報を記憶する選曲情報記憶手段と、その記憶された選曲情報をカラオケ装置側に一括送信する選曲情報送信手段と、前記カラオケ装置の利用可能時間を設定する利用可能時間設定手段と、その設定された利用可能時間内に演奏可能な曲数を算出する演奏可能曲数算出手段と、前記選曲情報記憶手段に記憶された、あるいは記憶が予定される選曲情報により特定される演奏曲の、合計曲数を計数する合計曲数計数手段と、前記選曲情報記憶手段に新たな選曲情報の記憶を行おうとした際に、その選曲情報が特定する演奏曲を含めた合計曲数が、前記演奏可能曲数算出手段により算出された演奏可能曲数を超過している場合には、該選曲情報の記憶を禁止する記憶制御手段と、を備えたことを特徴とするカラオケ用選曲装置。
【請求項３】
前記選曲情報記憶手段に記憶された選曲情報を前記カラオケ装置側に無線により一括送信する選曲情報送信手段を備えるリモコンとして構成された請求項１又は請求項２に記載のカラオケ用選曲装置。
【請求項４】
前記選曲情報記憶手段には、前記演奏曲の曲番号と曲名とが前記選曲情報として記憶され、
また、選曲内容を確認するために、前記選曲情報記憶手段に記憶された前記曲番号を前記曲名とともに表示する表示部が設けられている請求項１ないし請求項３のいずれか１項に記載のカラオケ用選曲装置。
【発明の詳細な説明】
【０００１】
【発明の属する技術分野】
本発明は、カラオケ装置の操作あるいは選曲等に使用されるリモコン及び選曲装置に関する。
【０００２】
【従来の技術】
従来、所定の演奏曲を選択するとスピーカから曲が流れ、曲の歌詞テロップが画面表示されるカラオケ装置が、例えばカラオケボックス等に設置されて人気を博している。このようなカラオケ装置において好みの曲を選曲する場合は、曲名リスト（早見本）等で歌いたい曲を選んだ後、リモコン等を操作することで選曲を行っている。
【０００３】
【発明が解決しようとする課題】
ところで、カラオケボックス等においては、時間料金制が採用されていることが多く、利用者は決められた利用時間内でカラオケを楽しむこととなる。この場合、従来のリモコンでは、曲番号等の選曲情報を１曲毎に入力してはカラオケ装置に送信する方式が採用されているので、結局のところカラオケ装置が設置された部屋に入室してからでないと選曲することができず、利用時間の少なからぬ部分が選曲に費やされて、時間内に歌える曲数が少なくなる欠点があった。
【０００４】
本発明の課題は、カラオケ装置の利用時間を有効に活用することのできるカラオケ用リモコン及び選曲装置を提供することにある。
【０００５】
【課題を解決するための手段及び作用・効果】
本発明のカラオケ用リモコンは、上述の課題を解決するために下記の要件を備えて構成されることを特徴とする。
▲１▼選曲情報入力手段：所望の曲の選曲情報を入力する。
▲２▼選曲情報記憶手段：入力された選曲情報を記憶する。
▲３▼選曲情報送信手段：記憶された選曲情報をカラオケ装置側に無線により一括送信する。
【０００６】
上述のようなカラオケ用リモコンによれば、カラオケ装置の利用前に予め歌いたい曲の選曲情報を入力して、これを選曲情報記憶手段に記憶しておくことができ、例えば装置の利用開始に際してその記憶された選曲情報をカラオケ装置側に無線により一括送信できる。その結果、カラオケ利用時間内において選曲等に要する時間を節約でき、ひいては時間内により多くの曲を歌うことができる。
【０００７】
また、本発明のカラオケ用選曲装置の第一の構成は、下記の要件を備えて構成されることを特徴とする。
▲１▼選曲情報入力手段：所望の曲の選曲情報を入力する。
▲２▼選曲情報記憶手段：入力された選曲情報を記憶する。
▲３▼選曲情報送信手段：記憶された選曲情報をカラオケ装置側に一括送信する。この送信は、無線で行っても、有線で行ってもいずれでもよい。
▲４▼利用可能時間設定手段：カラオケ装置の利用可能時間を設定する。
▲５▼合計演奏時間算出手段：選曲情報記憶手段に記憶された、あるいは記憶が予定される選曲情報により特定される演奏曲の、合計演奏時間を算出する。
▲６▼記憶制御手段：選曲情報記憶手段に新たな選曲情報の記憶を行おうとした際に、その選曲情報が特定する演奏曲を含めた合計演奏時間が、設定された利用可能時間を超過している場合には、該選曲情報の記憶を禁止する。
【０００８】
このようなカラオケ用選曲装置によれば、選曲情報がカラオケ装置側へ一括送信されるので、前述のリモコンと同様に、カラオケ利用時間を有効に活用することができる。また、選曲された曲の合計演奏時間が予め設定された利用可能時間を超える場合、新たな曲の選曲情報を選曲情報記憶手段に記憶させることが禁止されるので、上記利用可能時間を考慮したより有効な選曲が可能となり、また、時間内の演奏が不可能な曲まで選曲してしまう無駄を省くことができる。
【０００９】
次に、本発明のカラオケ用選曲装置の第二の構成は、上記第一の構成の▲４▼〜▲６▼の要件を、下記▲４▼’〜▲６▼’の要件で置換したものとして構成されたことを特徴とする。
▲４▼’演奏可能曲数設定手段：カラオケ装置に対する演奏可能曲数を設定する。
▲５▼’合計演奏曲数計数手段：選曲情報記憶手段に記憶された、あるいは記憶が予定される選曲情報により特定される演奏曲の、合計曲数を計数する。
▲６▼’記憶制御手段：選曲情報記憶手段に新たな選曲情報の記憶を行おうとした際に、その選曲情報が特定する演奏曲を含めた合計曲数が、設定された予約可能曲数を超過している場合には、該選曲情報の記憶を禁止する。
【００１０】
上述のようなカラオケ用選曲装置によれば、利用者が選曲した合計曲数が演奏可能曲数を超えた場合には、新たな曲の選曲が禁止されるので該可能曲数を考慮したより有効な選曲が可能となる。ここで、演奏可能曲数は、例えば前述の利用可能時間に対応して定められる曲数（具体的には利用可能時間内に演奏可能な総曲数）として設定することができる他、カラオケ装置に予約・登録可能な曲数に対応して設定することもできる。こうすれば、カラオケ装置に予約可能な曲数を超えて、無駄な選曲が行われることを防止できる利点も生ずる。なお、上記第一及び第二の構成の要件を合わせもつ選曲装置を構成することもできる。
【００１１】
【発明の実施の形態】
以下、本発明の実施の形態について、図面に示す実施例により説明する。
（実施例１）
図１は、本発明のカラオケ用リモコンの一例を示す外観図である。カラオケ用リモコン（以下、単にリモコンという）１は、本体部２０と、これに設けられた選曲情報送信手段としての赤外線発光部２２、入力部２５、液晶ディスプレイ等で構成される表示部２４等を備えている。入力部２５は、番号キー２７、削除キー２９、確認キー３１、選曲キー３２、送信キー３３、演奏可能曲数入力指定キー３４及び利用可能時間入力指定キー３５等の各種操作キーで構成されている。
【００１２】
図２は、リモコン１の内部構成を示しおり、Ｉ／Ｏポート１５と、これに接続されたＣＰＵ１１、ＲＡＭ１２、ＲＯＭ１３等を含む制御部１０が本体部２０内に設けられている。ここで、ＣＰＵ１１は、記憶制御手段の主体をなす。Ｉ／Ｏポート１５には、送信制御部２１、表示制御部２３及び入力部２５等が接続されている。また、送信制御部２１には赤外線発光部２２が、表示制御部２３には表示部２４がそれぞれつながれている。なお、赤外線発光部２２は近赤外線発光ダイオード等で構成されており、選曲情報としての曲番号のデータを赤外線パルスによりカラオケ装置側へ送信する役割を果たす。
【００１３】
次に、ＲＯＭ１３には、下記のプログラム及びデータが格納されている。
▲１▼演奏可能曲数算出プログラム１３ａ：入力部２５から入力されるカラオケ装置の利用可能時間に基づいて、その利用可能時間内に演奏可能な曲数を算出する。
▲２▼選曲プログラム１３ｂ：曲番号の入力により、選曲のための処理を行う。
▲３▼送信制御プログラム１３ｃ：ＲＡＭ１２の曲番号記憶メモリ１２ｅ（後述）に記憶された曲番号を、カラオケ装置側に赤外線発光部２２から無線により一括送信する処理を司る。
【００１４】
次に、ＲＡＭ１２には、以下の各メモリが設けられている。
▲１▼利用可能時間メモリ１２ａ：設定された利用可能時間を記憶する。
▲２▼曲数カウンタメモリ１２ｂ：入力部２５で選曲された曲数を計数し、これを記憶する。
▲３▼演奏可能曲数メモリ１２ｃ：演奏可能曲数算出プログラム１３ａにより算出された演奏可能曲数を記憶する。
▲４▼予約可能曲数メモリ１２ｄ：設定された予約可能曲数を記憶する。
▲５▼曲番号記憶メモリ１２ｅ：選曲された演奏曲の曲番号を記憶する。
【００１５】
図３はカラオケ装置１０１の構成を示している。そのカラオケコマンダ１０４は、入出力制御部であるカラオケ制御部１１０を備え、ここにＣＰＵ１１１、ＲＯＭ１１２、ＲＡＭ１１３等を内蔵していて、カラオケ装置１０１の全体の制御を司る。カラオケ制御部１１０には、ホストコンピュータ１０２とカラオケコマンダ１０４との間で通信を行うモデム１１５、カラオケデータ記憶部１１６、楽音合成部１１７、さらにモニタ制御部１１８及び入力部１１９が接続されている。モニタ制御部１１８には、歌詞テロップ表示用のＣＲＴ等のモニタ１０７が接続される。また、カラオケ制御部１１０には、リモコン１側から送信されてくる曲番号を無線受信するための赤外線受信部１２２が復調部１２４を介して接続されている。
【００１６】
カラオケデータ記憶部１１６は、ホストコンピュータ１０２から配信される多数のカラオケ曲のデータを曲番号と対応付けて蓄積する役割を果たし、楽音データ記憶部１３０、歌詞データ記憶部１３１等を含む。楽音データ記憶部１３０は、例えば、ＭＩＤＩ（Ｍｕｓｉｃａｌ  Ｉｎｓｔｒｕｍｅｎｔ  Ｄｉｇｉｔａｌ  Ｉｎｔｅｒｆａｃｅ）規格として構成され、その情報は少なくとも音階、音の強さ、音の長さ、音色等を含む楽音データを記憶する。また、歌詞データ記憶部１３１は歌詞テロップのデータを記憶する。楽音合成部１１７は、例えばシンセサイザ等で構成され、楽音データに基づいて各楽器の演奏音信号を合成する。その演奏音信号はアンプミキサ１０８に送られて増幅され、スピーカ１０６から演奏音として出力される。利用者は、その演奏音と同期してモニタ１０７に表示される歌詞テロップを見ながら、アンプミキサ１０８に接続されたマイク１０５により歌唱することとなる。なお、リモコン１から送られてくる選曲情報はＲＡＭ１１３に蓄積される。
【００１７】
以下、リモコン１の使用方法について説明する。
まず、リモコン１で選曲する方法について、その処理の流れを図４のフローチャートに示す。まず、Ｓ１において、リモコン１における入力部２５の各キーの押下状態が取得される。なお、どのキーも押されていないと判断された場合は、Ｓ１に戻ってキーの押下待ちとなる。Ｓ２でキーの押下状態が取得されると、入力部２５のどのキーが押下されたかが判断される（Ｓ３：番号キー２７、Ｓ１０：選曲キー３２、Ｓ２０：確認キー３１、Ｓ３０：送信キー３３及びその他のキー）。以下、それぞれのキー押下に対応した処理が行なわれる。
【００１８】
まず、番号キー２７が押された場合であるが、Ｓ３からＳ４に進み、番号キー２７で入力された数字をカラオケ曲番号の１桁分の入力としてＲＡＭ１２内のバッファに記憶し、カラオケ曲番号の入力が開始されたことを示す曲番号記憶フラグ（これもＲＡＭ１２内に設けられる）をＯＮに設定する（Ｓ５）。そして、これに続いて曲番号を番号キー２７で順次入力することにより、これがバッファに記憶される。
【００１９】
また、選曲キー３２が押された場合は、Ｓ３からＳ１０を経てＳ１１へ進み、曲番号記憶フラグがＯＮであるか否かが確認される。そして、曲番号記憶フラグがＯＮであれば、番号キー２７による曲番号の入力が完了したものと判断してＳ１２に進み、選曲不可判定処理となる。なお、Ｓ１１で曲番号記憶フラグがＯＮでない場合、すなわち曲番号の入力がなされていない場合は、Ｓ１に戻ってキー入力待ちの状態となる。
【００２０】
図５は、選曲不可判定処理の詳細を示している。
まず、Ｓ５０において、利用可能時間メモリ１２ａに利用可能時間が記憶されていればその利用可能時間を読み出し、Ｓ５１でその利用可能時間内に演奏可能な曲数が算出される。ここで、利用可能時間の設定は、図１の利用可能時間入力指定キー３５を用いて行われる。具体例としては、２時間カラオケ装置を利用する場合、利用可能時間入力指定キー３５を押した後に、番号キー２７で「２」と入力し、再び利用可能時間入力指定キー３５を押下することで設定完了する方式を挙げることができる。次に、Ｓ５１の演奏可能曲数の算出方法は、例えば、カラオケ装置の利用可能時間に対し、予め定められた１曲当たりの標準演奏時間で割ることで、その演奏可能曲数を算出することができる。例えばその標準演奏時間を５分として、利用可能時間が２時間に設定されたとすると、２４曲（１２０分÷５分）が演奏可能曲数として算出される。この算出は、演奏可能曲数算出プログラム１３ａ（図２）に基づいて実行され、その算出結果である演奏可能曲数は演奏可能曲数メモリ１２ｃに記憶される。
【００２１】
次に、Ｓ５２において、演奏可能曲数と、その時点で曲数カウンタメモリ１２ｂに記憶されている選曲数とを比較し、選曲数が演奏可能曲数を超えた場合には、Ｓ５５の選曲可能フラグをＯＦＦにし、図６（ａ）に示すように、表示部２４にこれ以上の選曲はできないというメッセージを表示をする（Ｓ５６）。
【００２２】
なお、選曲された曲数に標準演奏時間を乗じて合計演奏時間を算出し、その合計演奏時間を入力された利用可能時間と直接比較することにより、カラオケ曲の選曲ができるかどうかを判定してもよい。このような場合は、曲数カウンタメモリ１２ｂ（図２）に代えて演奏時間加算メモリ１２ｆを設け、ここにその合計演奏時間を記憶すればよい。
【００２３】
一方、選曲数が演奏可能曲数未満であれば、予め設定されている予約可能曲数と選曲数とが比較され、Ｓ５４で選曲数が予約可能曲数未満であれば、Ｓ５７で選曲可能フラグをＯＮに設定して処理を終了する。逆に、Ｓ５４で予約可能曲数以上であった場合は、Ｓ５５で選曲可能フラグをＯＦＦに設定し、図６（ｂ）に示すようにこれ以上の選曲はできないというメッセージを表示部２４に表示する（Ｓ５６）。
【００２４】
ここで、Ｓ５４の予約可能曲数は、例えばカラオケ装置１０１において、同時に予約・登録可能な曲数に対応して設定することができる。具体例としては、例えば予約可能曲数が１０曲である場合、図１の演奏可能曲数入力指定キー３４を押した後、番号キー２７で「１」「０」と入力し、再び演奏可能曲数入力指定キー３４を押すことにより設定完了する方式を挙げることができる。なお、予約可能曲数及び前述の利用可能時間の設定は、利用者が行ってもよいし、カラオケボックスなどの店員が受付時に行ってもよい。
【００２５】
図４に戻って、Ｓ１３で選曲可能フラグがＯＮであるか否かが判断され、ＯＮであればＳ１４でバッファに記憶された曲番号を図２の曲番号記憶メモリ記憶１２ｅに転送・記憶するとともに、曲数カウンタメモリ１２ｂをインクリメントする（Ｓ１５）。その後、バッファ内の曲番号を消去するとともに曲番号記憶フラグをＯＦＦにし、選曲キー３２による処理を終了する（Ｓ１６、Ｓ１７）。
【００２６】
次に、本実施例のリモコン１においては、確認キー３１を押すことにより、選曲内容を表示部２４において確認することができる。また、削除キー２９により任意の選曲内容を取り消すことができる。その処理はＳ２０〜Ｓ２４に対応している。すなわち、Ｓ２０で確認キー３１が押されたことが確認されると、表示部２４に選曲内容（曲番号等）が表示される（Ｓ２１）。そして選曲内容を取り消す場合にはＳ２３に進み、削除すべき曲の曲番号を選んで削除キー２９を押すことにより当該選曲内容が取り消される。また、Ｓ２４で曲数カウンタメモリ１２ｂがデクリメントされる。一方、Ｓ２２で選曲内容を取り消さない場合はＳ１に進み、キー入力待ちとなる。
【００２７】
上述のようにして選曲された内容を、カラオケ装置１０１（図３）へ送信する場合は、Ｓ３０で送信キー３３を押すことにより、Ｓ３１で曲数カウンタが「０」でないことが確認された後、赤外線発光部２２から曲番号記憶メモリ１２ｅに記憶された曲番号が、カラオケ装置側１０１に向けて一括送信される（Ｓ３２）
。
【００２８】
また、番号キー２７、確認キー３１、選曲キー３２及び送信キー３３以外のキーが押下された場合は、カラオケ選曲以外の操作を利用者が行ったと判断して、Ｓ３０からＳ４０に進み、番号キー２７の操作によりバッファの内容が初期化され、さらにＳ４１に進んで曲番号記憶フラグがＯＦＦとなり、Ｓ１に戻ってキー入力待ちとなる。
【００２９】
なお、上記実施例において、選曲数と演奏可能曲数との比較に基づく選曲可否の判断処理、及び選曲数と予約可能曲数との比較に基づく選曲可否の判定処理は、そのいずれかを省略することができる。また上記処理の双方又は一方を省略し、これに代えて、選曲された曲の合計演奏時間と利用可能時間との比較に基づく選曲可否の判定処理を行うようにしてもよい。そして、上述の構成変更に伴い、不要となるメモリ、プログラムあるいは操作キー等は適宜省略することができる
。
【００３０】
（実施例２）
実施例１のリモコン１には、電子早見本機能を付加することができる。また、リモコン１に対し、カラオケ装置の機種選択機能を付加することもできる。この場合、図１に示すように、リモコン１には、該リモコン１の使用が可能なカラオケ装置の機種に一対一に対応して、機種選択ボタン２６が設けられる。
【００３１】
以下、上述のようなリモコン１の内部構成を図２を援用して説明する（なお、実施例１との共通部については説明は省略する）。
まず、Ｉ／Ｏポート１５には、無線送信されてくる選曲データ等を受信する受信装置３７、及びこれを復調するデータ復調部３６がつながれており、受信装置３７には受信アンテナ１９が接続されている。また、Ｉ／Ｏポート１５にはデータ記憶部１４が接続されている。データ記憶部１４は、例えばバックアップ電源（図示せず）付きのＲＡＭ等で構成されており、機種別演奏曲リスト・選曲データ記憶部１４ａが設けられている。機種別演奏曲リスト・選曲データ記憶部１４ａは、図７にその一例を示すように、選曲データとしての各演奏曲の曲名５０が、機種（Ａ〜Ｆ）毎の曲番号５１及び機種に無関係な内部曲番号５２（Ｘ）と対応付けて記憶されている。また、図示はしていないが、選曲データとして、各演奏曲に対応する歌手名を始め、リリースされた年代、歌詞のキーワード（歌い出し部分の歌詞を含む）、作曲者名、作詞者名、編曲者名等も各々の曲に対応付けて記憶されている。
【００３２】
次に、ＲＯＭ１３には、下記のプログラム及びデータが追加して格納される。
▲１▼演奏曲リスト更新プログラム１３ｄ：受信装置３７が受信するカラオケ装置側からの選曲データに基づいて、機種別演奏曲リストの内容を更新する。
▲２▼送信方式選択プログラム１３ｅ：選択されたカラオケ装置の機種に対応する、赤外線発光部２２からのデータ送信方式を選択する。
【００３３】
また、図３のカラオケ装置１０１のカラオケ制御部１１０には、リモコン１側へ選曲データ等を送信するための無線送信部１２１が変調部１２３を介して接続される。
【００３４】
以下、上記リモコン１の作動について、図８のフローチャートを用いて説明する。まずＴ１において、カラオケ装置の機種を機種選択ボタン２６（図１）を用いて指定する。次に、Ｔ２に進み、図１の番号キー２７等により、歌手名、曲名等の検索データを入力する。そして、その入力内容に基づき、対応する機種の演奏曲リストにより関係する曲が検索され、表示部２４に図９に示すような演奏曲リスト２４ｄが表示される。利用者は矢印キー３０（図１）を操作することにより、カーソル２４ｅを所望の演奏曲の表示位置に合わせ、さらに選曲キー３２（図１）を押すことにより選曲内容を確定させる（Ｔ３）。ここで、Ｔ３の選曲確定処理に当たっては、実施例１のリモコンと同様に、演奏可能曲数、予約可能曲数、あるいは利用可能時間に基づく選曲可否の判定がなされて、選曲可と判定された曲の曲番号のみが曲番号記憶メモリ１２ｅに記憶される。ここで、曲番号と共に曲名も記憶するようにし、前述の確認処理（図４：Ｓ２０〜Ｓ２４）において、表示部２４（図２）にその曲名も併せて表示するようにすれば、選曲内容の把握が一層容易となる。
【００３５】
続いて、Ｔ４において、選択された機種のデータ送信方式が選択される。すなわち、曲番号はコード化されて、パルス信号により赤外線発光部２２からカラオケ装置に向けて送信されるのであるが、カラオケ装置の機種により、そのパルス長やパルス間隔が異なっていたり、さらには機種特定のためのコード受信を前提として赤外線パルス信号の受付けを開始するなど、そのデータの送信方式が異なっている場合がある。そこで、前述の送信方式選択プログラム１３ｅ（図２）に基づき、その機種に対応するデータ送信方式が選択され、送信制御部２１に所定の指令が発せられる。送信制御部２１はこの指令を受けて赤外線発光部２２に対し、上記曲番号コードを指定された方式によりカラオケ装置に向けて無線送信させる（Ｔ５）。カラオケ装置１０１では、その曲番号コードを赤外線受信部１２２（図３）で受信し、その曲番号で指定される演奏曲の演奏を行なうこととなる。このように機種選択機能を付加することにより、機種選択ボタン２６で選択可能なカラオケ装置であれば、リモコン１をどのような機種に対しても共通に使用できるので、利用者は機種毎にリモコンの操作方法を修得する煩わしさから解放される。
【００３６】
ここで、電子早見本機能をリモコン１に付加する場合、各カラオケ曲の実際の演奏時間を個々の曲に対応させて記憶しておくことができる。そして、利用可能時間と選曲された曲の合計演奏時間との比較に基づき、新たな選曲の可否を判定する構成においては、その合計時間を前述の標準演奏時間ではなく、上記実際の演奏時間を用いて算出することができる。これにより、合計演奏時間をより正確に算出することができる。なお、機種選択機能と電子早見本機能とは、そのいずれかを省略することができる。
【図面の簡単な説明】
【図１】本発明の実施例１のカラオケ用リモコンの外観を示す正面図。
【図２】図１のリモコンのブロック図。
【図３】カラオケ装置のブロック図。
【図４】選曲処理の流れを示すフローチャート。
【図５】その選曲処理における選曲不可判定処理の流れを示すフローチャート。
【図６】表示部における表示の例を示す説明図。
【図７】機種別演奏曲リストの内容の一例を示す説明図。
【図８】実施例２のリモコンにおける選曲処理の流れを示すフローチャート。
【図９】演奏曲リストの例を示す説明図。
【符号の説明】
１  カラオケ用リモコン（リモコン、選曲装置）
１１  ＣＰＵ（記憶制御手段）
１２  ＲＡＭ（選曲情報記憶手段）
１３  ＲＯＭ（合計演奏時間算出手段、合計曲数計数手段）
２２  赤外線発光部（選曲情報送信手段）
２５  入力部（選曲情報入力手段、利用可能時間設定手段、演奏可能曲数設定手段）
１０１  カラオケ装置
【図１】
0003580940.tif 000002
【図２】
0003580940.tif 000003
【図３】
0003580940.tif 000004
【図４】
0003580940.tif 000005
【図５】
0003580940.tif 000006
【図６】
0003580940.tif 000007
【図７】
0003580940.tif 000008
【図８】
0003580940.tif 000009
【図９】
0003580940.tif 000010